(57)【要約】【課題】型紙を複数枚同時に連続して簡単に、且つ感光紙の無駄な使用をなくして複写する。【解決手段】型紙８を載置して感光した感光紙４の反転給紙口１４上の上部カバー１８に挿入ガイド手段１７を設置して、該挿入ガイド手段１７を構成する感光紙ガイド線条２１を、反転給紙ガイド板１３上に反転された感光紙４上に位置させることにより、該感光紙４の先端縁部が上方へ浮き上がるのを押えて、前記感光紙４が上方へ緩やかに傾斜した反転給紙ガイド板１３上を、浮き上がることなく前方へスライドして、自動的に反転給紙口１４に送る。【選択図】図２
2004126084.tif 000002
【特許請求の範囲】
【請求項１】
直線状の保持線条の両側部がジアゾ複写機の上部カバー上に回動保持具を介して回動自在に保持され、且つ前記保持線条の両側部に、反転給紙ガイド板の先端縁部までの長さを有するＵ字状の感光紙ガイド線条をそれぞれ突設すると共に、前記反転給紙口の手前側に位置する前記感光紙ガイド線条を下方へほぼ直角に折曲して折曲部を設け、且つ該感光紙ガイド線条の先方側に、反転給紙ガイド板の手前側の下方へ折曲した折曲壁面に対面するよう下方へ湾曲した湾曲部を設け、且つ前記感光紙ガイド線条の折曲部の保持線条寄りには、該各感光紙ガイド線条の全長に亘って補強線条を固定して、挿入ガイド手段が形成され、
前記挿入ガイド手段は、使用時は反転給紙ガイド板上に倒して使用し、またその不使用時には前記反転給紙ガイド板から離して傾斜して起立固定できるようストッパーに掛止されて起倒自在に形成されると共に、前記挿入ガイド手段の感光紙ガイド線条は、その使用時においては、上部カバー上に位置する感光紙ガイド線条の下面部が、クッション材を介して上部カバーに当接しているだけで、その他の感光紙ガイド線条は、前記反転給紙ガイド板には接しないよう構成したことを特徴とするジアゾ複写機における型紙複写装置。
【請求項２】
直線状の保持線条の両側部に、反転給紙ガイド板の先端縁部までの長さを有するＵ字状の感光紙ガイド線条を反転給紙ガイド板方向にそれぞれ突設すると共に、前記反転給紙口の手前側に位置する前記感光紙ガイド線条を下方へほぼ直角に折曲して折曲部を設け、且つ感光紙ガイド線条の先方側に、反転給紙ガイド板の手前側の下方へ折曲した折曲壁面に対面するよう下方へ湾曲した湾曲部を設け、且つ前記感光紙ガイド線条の折曲部の保持線条寄りには、該各感光紙ガイド線条の全長に亘って補強線条を固定して挿入ガイド手段が形成され、且つ該挿入ガイド手段の保持線条の両側部が、前記ジアゾ複写機の上部カバー上に回動保持具を介して上下動自在に保持されると共に、前記挿入ガイド手段の感光紙ガイド線条は、上部カバー上に位置する感光紙ガイド線条の下面部が、クッション材を介して上部カバーに当接しているだけで、その他の感光紙ガイド線条は、前記反転給紙ガイド板には接しないよう構成したことを特徴とするジアゾ複写機における型紙複写装置。
【発明の詳細な説明】
【０００１】
【発明の属する技術分野】本発明は、アパレル関係において使用する大小さまざまな型紙を、複数枚同時に連続して簡単に、且つ感光紙の無駄な使用をなくして複写することができるジアゾ複写機における型紙複写装置に関するものである。
【０００２】
【従来の技術】従来、型紙を複数枚同時にジアゾ複写機で複写する場合、図９〜図１１に示すように、複写機５１の手前側の操作テーブル５２上に下方の保持ロール５３に巻回された感光紙５４を引き出し、その先端を送りローラ５５によって回動している搬送ベルト５６上に挿入して、複数枚の型紙５７を前記操作テーブル５２上に位置した感光紙５４上に載置し、然る後、起動スイッチ５８を押圧して、送りローラ５５を回転させて露光ランプ５９で型紙５７部分以外の感光紙５４に感光させて、一旦排紙口６０から、前記感光紙５４と型紙５７とを排紙する。
【０００３】そして、前記排紙された感光紙５４から型紙５７を手で取去り、前記感光紙５４を現像剤を含浸した現像ローラ６１に通すため、反転挿入ガイド板６２上へ折曲して、該感光紙５４の両側部を手で持って前記反転挿入口６３に差込んで、該反転挿入ガイド板６２から現像ローラ６１側へ送り、現像処理して複写していた。
【０００４】
【発明が解決しようとする課題】前記従来の複写装置では、感光した後の感光紙５４から型紙５７を素早く取去らなければならないが、感光紙５４の先端縁部が反転挿入口６３に完全に挿入されるまで、該感光紙５４の両側部を手で持って挿入させるので、その間作業者は両手を全く使用することができず、従って起動スイッチ５８をＯＦＦにしない限り、感光紙５４は送り続けられているので、その間に新しい型紙５７を感光紙５４上に載置することができず、無駄に感光されてしまい、感光紙５４の無駄使いとなるという課題があった。
【０００５】また、起動スイッチ５８をＯＦＦにして、前記感光紙５４の送りを停止した場合、連続複写が不可能で、複写作業に手間がかかり、円滑、且つ迅速に複写できないという課題があった。
【０００６】本発明は前記課題を解決すべくなされたもので、感光した感光紙の反転給紙口上の上部カバーに挿入ガイド手段を設置して、該挿入ガイド手段を構成する感光紙ガイド線条を、反転給紙ガイド板上の反転された感光紙上に位置させることにより、該感光紙の先端縁部が上方へ浮き上がるのを押えて、前記感光紙が上方へ緩やかに傾斜した反転給紙ガイド板上を、浮き上がることなく前方へスライドして、自動的に反転給紙口に送られ、作業者の両手がフリーとなり、連続複写作業が可能で、且つ感光紙の無駄な使用もなく、また複写のスピードアップを図ることができるジアゾ複写機における型紙複写装置を提供しようとするものである。
【０００７】
【課題を解決するための手段】本発明は、直線状の保持線条の両側部がジアゾ複写機の上部カバー上に回動保持具を介して回動自在に保持され、且つ前記保持線条の両側部に、反転給紙ガイド板の先端縁部までの長さを有するＵ字状の感光紙ガイド線条をそれぞれ突設すると共に、前記反転給紙口の手前側に位置する前記感光紙ガイド線条を下方へほぼ直角に折曲して折曲部を設け、且つ該感光紙ガイド線条の先方側に、反転給紙ガイド板の手前側の下方へ折曲した折曲壁面に対面するよう下方へ湾曲した湾曲部を設け、且つ前記感光紙ガイド線条の折曲部の保持線条寄りには、該各感光紙ガイド線条の全長に亘って補強線条を固定して、挿入ガイド手段が形成され、
前記挿入ガイド手段は、使用時は反転給紙ガイド板上に倒して使用し、またその不使用時には前記反転給紙ガイド板から離して傾斜して起立固定できるようストッパーに掛止されて起倒自在に形成されると共に、前記挿入ガイド手段の感光紙ガイド線条は、その使用時においては、上部カバー上に位置する感光紙ガイド線条の下面部が、クッション材を介して上部カバーに当接しているだけで、その他の感光紙ガイド線条は、前記反転給紙ガイド板には接しないよう構成するという手段、または、
直線状の保持線条の両側部に、反転給紙ガイド板の先端縁部までの長さを有するＵ字状の感光紙ガイド線条を反転給紙ガイド板方向にそれぞれ突設すると共に、前記反転給紙口の手前側に位置する前記感光紙ガイド線条を下方へほぼ直角に折曲して折曲部を設け、且つ感光紙ガイド線条の先方側に、反転給紙ガイド板の手前側の下方へ折曲した折曲壁面に対面するよう下方へ湾曲した湾曲部を設け、且つ前記感光紙ガイド線条の折曲部の保持線条寄りには、該各感光紙ガイド線条の全長に亘って補強線条を固定して挿入ガイド手段が形成され、且つ該挿入ガイド手段の保持線条の両側部が、前記ジアゾ複写機の上部カバー上に回動保持具を介して上下動自在に保持されると共に、前記挿入ガイド手段の感光紙ガイド線条は、上部カバー上に位置する感光紙ガイド線条の下面部が、クッション材を介して上部カバーに当接しているだけで、その他の感光紙ガイド線条は、前記反転給紙ガイド板には接しないよう構成するという手段、
を採用することにより発明をなした。
【０００８】
【発明の実施の形態】本発明の実施の形態を図面に基づいて詳細に説明すると、ジアゾ複写機１の手前側には、操作テーブル２が設けられており、該操作テーブル２上に下方に回転自在に設置された保持ロール３に巻回された感光紙４を引き出し、該操作テーブル２上に引き出された感光紙４の先端縁部を、前記操作テーブル２前方の給紙口５から送りローラ６上の搬送ベルト７上に差込むことができるように形成されている。
【０００９】前記搬送ベルト７上に先端縁部を差し込まれた操作テーブル２上の感光紙４の感光面上には、原稿となる１枚または複数枚の所定の形状に形成された型紙８が載置され、然る後、操作テーブル２の端縁部等に設置された起動ボタンスイッチ９を押圧して、送りローラ６を回転させて、搬送ベルト７を回動させると共に、露光ランプ１０を点灯することにより、前記感光紙４と型紙８が前記搬送ベルト７により搬送されて、露光ランプ１０により型紙８以外の感光紙４が感光し、第１の排紙口１１から、該第１の排紙口１１の外方に斜め上方に設置された排紙ガイド板１２上に、該感光紙４および型紙８が排紙される。なお、前記起動ボタンスイッチ９は、図１〜図２、図５〜図６においては操作テーブル２上の端部に設置されているが、その取付場所は任意である。また、その他図示していないが、フットスイッチを用いてもよい。
【００１０】前記排紙ガイド板１２上に排紙された感光紙４から型紙８を取去り、該感光紙４を反転給紙ガイド板１３上へ折り曲げて先端縁部を反転給紙口１４から給紙して現像剤を含浸した現像ローラ１５へ送り、感光紙４に現像して第２の排紙口１６より排紙するよう形成されている。
【００１１】本発明においては、前記排紙ガイド板１２上に排紙された感光紙４を、反転給紙ガイド板１３上を前方へスライドさせて、反転給紙口１４に簡単な操作で、且つ確実に挿入させる挿入ガイド手段１７が、前記反転給紙口１４上の上部カバー１８に起倒自在なるよう装置されている。
【００１２】前記挿入ガイド手段１７は、全体が前記反転給紙ガイド板１３に送られた感光紙４が、前記搬送ベルト７の搬送押圧力により、押し上げられることがないように、ある程度の重量を有し、且つ前記感光紙４と接触しても線接触となるように、細い径の丸鋼線条により形成されている。
【００１３】すなわち、直線状の保持線条１９の両側部が前記上部カバー１８上に突設された回動保持具２０に貫挿されて、該回動保持具２０を支点として回動自在に保持され、且つ前記保持線条１９の両側部に、反転給紙ガイド板１３の先端縁部までの長さを有するＵ字状の感光紙ガイド線条２１をそれぞれ突設すると共に、前記反転給紙口１４の手前側に位置する前記各感光紙ガイド線条２１を下方へほぼ直角にそれぞれ折曲して折曲部２１ａを設け、且つ感光紙ガイド線条２１の先方部に、前記反転給紙ガイド板１３の手前側の下方へ折曲した折曲壁面１３ａに対面するよう、下方へ湾曲した湾曲部２１ｂを設ける一方、前記感光紙ガイド線条２１の折曲部２１ａの保持線条１９寄りには、該各感光紙ガイド線条２１の全長に亘って、感光紙ガイド線条２１を補強する役目と、後述のストッパー２２に掛止する役目を兼ねた補強線条２３を固定して、挿入ガイド手段１７が形成されている。
【００１４】前記構成より成る挿入ガイド手段１７は、使用時は反転給紙ガイド板１３上に倒して使用し、またその不使用時には前記反転給紙ガイド板１３から離して傾斜して起立固定できるようストッパー２２に掛止されている。すなわち、前記挿入ガイド手段１７の感光紙ガイド線条２１は、その使用時においては、上部カバー１８上の感光紙ガイド線条２１の下面部が、該上部カバー１８上の先方部に設けられたゴム板等の弾性材により形成された各クッション材２４上に載置されて当接しているだけで、その他の感光紙ガイド線条２１は、前記反転給紙ガイド板１３には全く接していない。
【００１５】前記ストッパー２２は、特に限定する必要はないが、好ましくは、図１〜図２、図５〜図６に示すような構成とすることが推奨される。すなわち、小径の丸鋼線条を手前側へ弓状に湾曲させて屈曲性を付与した湾曲線条２５の上下両端縁部に、小径の丸鋼線条により上方部に前記補強線条２３を掛止する掛止用段部２６を設けた掛止線条２７を連結固定してストッパー２２が形成される一方、該ストッパー２２の掛止線条２７と湾曲線条２５の間に前記補強線条２３を挿入して、前記湾曲線条２５の下部を前記上部カバー１８の基部側中央に固定して形成されている。
【００１６】そして、前記挿入ガイド手段１７を傾斜して起立させるときは、該挿入ガイド手段１７の補強線条２３を持上げて前記ストッパー２２の湾曲線条２５の屈曲性を利用して、掛止用段部２６に補強線条２３を載置することにより、図６に示すように前記掛止用段部２６に掛止されて、該挿入ガイド手段１７は上部カバー１８上に傾斜して起立する。また、前記挿入ガイド手段１７を倒すときは、ストッパー２２の湾曲線条２５を前方側へ押圧すると、該湾曲線条２５は屈曲性を有しているため、簡単に前方へ屈曲移動して、前記掛止用段部２６から補強線条２３が落下し、該挿入ガイド手段１７は倒れて、感光紙ガイド線条２１の下面部が、上部カバー１８上の各クッション材２４上に載置されて当接すると共に、反転給紙ガイド板１３上面に感光紙ガイド線条２１の先方部側が位置する形となる。
【００１７】前記構成より成るジアゾ複写機における型紙複写装置の作用を説明する。図６に示すように、型紙８を載置した感光紙４が露光ランプ１０により感光されて、排紙ガイド板１２上に排出されると、作業者は直ちに型紙８を取去った後、感光紙４の先端縁部を反転給紙ガイド板１３上に反転して載置すると共に、今までストッパー２２の掛止用段部２６に、補強線条２３が掛止されて傾斜して起立していた挿入ガイド手段１７を、ストッパー２２の湾曲線条２５を手で軽く前方側へ押圧して屈曲させて、補強線条２３の掛止用段部２６の掛止状態を解除して、前記挿入ガイド手段１７を倒して、感光紙ガイド線条２１の先方部を反転給紙ガイド板１３の上面に位置させる。
【００１８】前記したように、前記感光紙ガイド線条２１は反転給紙ガイド板１３上においては、該反転給紙ガイド板１３に全く接触していないが、前記反転された感光紙４の先端縁部は、図３に示すように、搬送ベルト７による搬送押圧力により、一旦湾曲部２１ｂの下面部に当接するが、感光紙ガイド線条２１は丸鋼線条により形成されているため、前記感光紙４と線接触して、図４に示すように、直ちに前記湾曲部２１ｂにより下方へ折曲する。そして、上方側へ傾斜した反転給紙ガイド板１３上を、前方へスライドして正確に反転給紙口１４へ挿入される。
【００１９】従って、作業者は一旦挿入ガイド手段１７を倒した後は、両手が完全に自由になるので、新しい型紙８を感光紙４上に載置する毎に、起動ボタンスイッチ９を一々操作することなく、操作テーブル２上において、感光紙４上に次々に連続して型紙８を載置して行くことができるので、連続して複写作業ができると共に、無駄に感光紙を使用することもない。
【００２０】なお、前記ストッパー２２は、本発明装置においては、必ずしも必要とせず、該ストッパー２２がなくても、本発明の目的を達成することができる。すなわち、本発明の他の実施の形態を示す図７〜図８のように、ストッパー２２がない場合は、挿入ガイド手段１７は、前記回動保持具２０を支点として、反転給紙ガイド板１３上に上下動自在なるよう配置されているので、前記挿入ガイド手段１７の感光紙ガイド線条２１の湾曲部２１ｂを少し持上げて、前記感光紙４の先端縁部を反転給紙ガイド板１３上に反転載置した後、前記湾曲部２１ｂを離せばよい。その以後の作用は、ストッパー２２を備えた場合と同一であるので、説明を省略する。
【００２１】
【発明の効果】本発明は上述のようであるから、型紙を感光紙上に載置して露光ランプにより感光させて、排紙ガイド上に排紙された後の感光紙上から型紙を取去り、該感光紙の先端縁部を反転給紙ガイド板上に反転して載置すると共に、挿入ガイド手段の感光紙ガイド線条を前記反転給紙ガイド板の感光紙上に接触することなく位置させるのみで、前記感光紙は感光紙ガイド線条によって浮き上がることなく、前記反転給紙ガイド板に沿ってスライドして、前方の反転給紙口へ正確に挿入される。そして、前記感光紙ガイド線条を感光紙上に位置させた後は、作業者は両手が全くフリーの状態となり、連続して操作テーブル上を移動している感光紙上に次から次へと型紙を載置でき、従来のように起動ボタンスイッチにより装置を停止する必要がないので、作業の効率化を図ることができると共に、迅速に連続して型紙の複写作業ができ、更に無駄に感光紙を使用するということはない。
【図面の簡単な説明】
【図１】本発明ジアゾ複写機における型紙複写装置において、最初の型紙を感光紙上に載置した状態を示す全体の斜視図である。
【図２】本発明ジアゾ複写機における型紙複写装置において、感光紙の先端縁部を反転給紙ガイド板上に反転して載置すると共に、装入ガイド手段を倒した状態を示す全体の斜視図である。
【図３】本発明ジアゾ複写機における型紙複写装置において、感光紙の先端縁部が感光紙ガイド線条に線接触した状態を示す要部の概略縦断面図である。
【図４】本発明ジアゾ複写機における型紙複写装置において、感光紙の先端縁部が感光紙ガイド線条に線接触して、反転給紙ガイド板上に折曲し、該反転給紙ガイド板上をスライドして行く状態を示す要部の概略縦断面図である。
【図５】本発明ジアゾ複写機における型紙複写装置において、連続して型紙を複写している状態を示す全体の斜視図である。
【図６】同概略縦断面図である。
【図７】本発明ジアゾ複写機における型紙複写装置における他の実施の形態を示す全体の斜視図である。
【図８】同概略縦断面図である。
【図９】従来のジアゾ複写機における型紙複写装置における使用状態を示す全体の斜視図である。
【図１０】従来のジアゾ複写機における型紙複写装置における使用状態を示す全体の斜視図である。
【図１１】同概略縦断面図である。
【符号の説明】
１　ジアゾ複写機、　２　操作テーブル、　４　感光紙、　８　型紙、　１３　反転給紙ガイド板、　１３ａ　折曲壁面、　１４　反転給紙口、　１７　挿入ガイド手段、　１８　上部カバー、　１９　保持線条、　２０　回動保持具、　２１　感光紙ガイド線条、　２１ａ　折曲部、　２１ｂ　湾曲部、　２２　ストッパー、２３　補強線条、　２４　クッション材。
【図１】
2004126084.tif 000003
【図２】
2004126084.tif 000004
【図３】
2004126084.tif 000005
【図４】
2004126084.tif 000006
【図５】
2004126084.tif 000007
【図６】
2004126084.tif 000008
【図７】
2004126084.tif 000009
【図８】
2004126084.tif 000010
【図９】
2004126084.tif 000011
【図１０】
2004126084.tif 000012
【図１１】
2004126084.tif 000013